(57)【要約】【課題】通常の撮影動作を行ないつつ取得した複数の画像データに基いて所望の組写真を容易に生成し得る撮影機器を提供する。【解決手段】撮影光学系と撮像素子とからなる撮像部と、撮像部が取得した画像データに基く画像を表示する表示部と、表示部の表示面上に配設されるタッチパネルと、撮像部が取得した画像データを記録する一時記録部と、表示部を駆動制御する表示制御部と撮像部が取得した画像データに対し画像信号処理を行なう画像処理部とを少なくとも含む信号処理制御部とを具備し、信号処理制御部は一時記録部に一時記録された画像データに基く画像を表示部に表示し、タッチパネルへのタッチスライド操作を受けて表示部に表示中の画像の縮小処理を施し、その縮小処理結果を反映させた縮小画像を表示部に表示させ、表示部における縮小画像の表示領域以外の余白部には撮像部が取得した画像を連続的に更新表示する表示制御を行なう。【選択図】図１
2014165609.tif 000002
【特許請求の範囲】
【請求項１】
光学像を結像させる撮影光学系とこの撮影光学系により結像された光学像を光電変換して画像データを生成する撮像素子とからなる撮像部と、
上記撮像部によって取得された画像データに基く画像を表示する表示部と、
上記表示部の表示面上に配設されるタッチパネルと、
上記撮像部によって取得された画像データを一時的に記録する一時記録部と、
上記表示部を駆動制御する表示制御部と、上記撮像部によって取得した画像データに対し画像信号処理を行なう画像処理部とを、少なくとも含む信号処理制御部と、
を具備し、
上記信号処理制御部は、上記一時記録部に一時記録された画像データに基く画像を上記表示部に表示し、上記タッチパネルへのタッチスライド操作を受けて上記表示部に表示中の画像の縮小処理を施すと共に、その縮小処理結果を反映させた縮小画像を上記表示部に表示させ、上記表示部において上記縮小画像の表示領域以外の余白部には上記撮像部によって取得した画像を連続的に更新表示する表示制御を行なうことを特徴とする撮影機器。
【請求項２】
上記表示制御部は、上記撮像部から連続的に出力される画像データに基く画像を上記表示部の全表示領域に表示させながら、上記余白部に相当する領域の画像のみを更新することを特徴とする請求項１に記載の撮影機器。
【請求項３】
上記信号処理制御部は、さらに画像合成部を備え、
上記画像合成部は、上記撮像部から連続的に出力される画像データに基く画像と、上記縮小画像を表わす縮小画像データに基く画像とを合成処理することによって一つの画像データを生成することを特徴とする請求項１に記載の撮影機器。
【請求項４】
上記表示制御部は、撮影動作後のレックビュー表示に重畳させて、組写真生成操作を行ない得る動作モードを表わすアイコンを表示させることを特徴とする請求項１に記載の撮影機器。
【請求項５】
上記表示制御部は、上記縮小画像に相当する領域に対する上記タッチパネルへのフリック操作を受けて、処理中の縮小処理をキャンセルすることを特徴とする請求項１に記載の撮影機器。
【発明の詳細な説明】
【技術分野】
【０００１】
この発明は、複数の撮影画像に基いて組写真を生成することのできる撮影機器に関するものである。
【背景技術】
【０００２】
従来、撮影光学系により結像された光学像を光電変換素子等によって順次画像信号に変換し、これにより得られた画像信号を所定の形態の画像データとして記録媒体に記録し得ると共に、この記録媒体に記録された画像データを画像として再生表示する画像表示装置、例えば液晶表示装置（ＬＣＤ）等を備えて構成された撮影機器、例えばデジタルカメラやビデオカメラ等が一般に実用化され、広く普及している。
【０００３】
この種の撮影機器においては、撮影動作によって取得した画像データに対して機器内の信号処理制御部を用いて種々のデータ処理等を施すことによって、様々な形態の画像を容易にかつ自動的に生成し得る機能を備えたものが実用化されている。
【０００４】
例えば、特開２００４−２１５１５７号公報によって開示されている撮影機器においては、特定撮影対象物に関する複数の撮影画像を取得する際に、サンプル画像をガイド表示として表示させ、撮影者はそのガイド表示を見ながら連続的に撮影を行なうことで、一連のパターン撮影を行なうことができるというものである。
【先行技術文献】
【特許文献】
【０００５】
【特許文献１】特開２００４−２１５１５７号公報
【発明の概要】
【発明が解決しようとする課題】
【０００６】
ところが、上記特開２００４−２１５１５７号公報によって開示されている手段は、一連のパターン撮影を行なって、関連する複数の画像データを取得することは容易にできるものであるが、その撮影動作モードでの撮影を開始してしまうと、撮影途中で通常の撮影を行うことができず、撮影機器が特定の撮影動作モードに拘束されてしまうという問題点がある。
【０００７】
本発明は、上述した点に鑑みてなされたものであって、その目的とするところは、撮影動作時の動作モード設定を意識することなく、通常の撮影動作を行なっているときにも取得した複数の画像データに基いて所望の組写真を容易に生成し得るように構成された撮影機器を提供することである。
【課題を解決するための手段】
【０００８】
上記目的を達成するために、本発明の一態様の撮影機器は、光学像を結像させる撮影光学系とこの撮影光学系により結像された光学像を光電変換して画像データを生成する撮像素子とからなる撮像部と、上記撮像部によって取得された画像データに基く画像を表示する表示部と、上記表示部の表示面上に配設されるタッチパネルと、上記撮像部によって取得された画像データを一時的に記録する一時記録部と上記表示部を駆動制御する表示制御部と、上記撮像部によって取得した画像データに対し画像信号処理を行なう画像処理部とを、少なくとも含む信号処理制御部と、を具備し、上記信号処理制御部は、上記一時記録部に一時記録された画像データに基く画像を上記表示部に表示し、上記タッチパネルへのタッチスライド操作を受けて上記表示部に表示中の画像の縮小処理を施すと共に、その縮小処理結果を反映させた縮小画像を上記表示部に表示させ、上記表示部において上記縮小画像の表示領域以外の余白部には上記撮像部によって取得した画像を連続的に更新表示する表示制御を行なう。
【発明の効果】
【０００９】
本発明によれば、撮影動作時の動作モード設定を意識することなく、通常の撮影動作を行なっているときにも取得した複数の画像データに基いて所望の組写真を容易に生成し得るようにした撮影機器を提供することができる。
【図面の簡単な説明】
【００１０】
【図１】本発明の一実施形態の撮影機器の内部構成の主要部を示すブロック構成図
【図２】図１のカメラを用いて取得した画像データによって組写真を生成する際の作用を説明する図であって、撮影動作を行なった直後の様子を示す図
【図３】図１のカメラを用いて取得した画像データによって組写真を生成する際の作用を説明する図であって、図２の後、組写真生成モード時の組写真構成を設定している様子を示す図
【図４】図１のカメラを用いて取得した画像データによって組写真を生成する際の作用を説明する図であって、図３の後、組写真生成モード時の組写真構成を設定している様子を示す図
【図５】図１のカメラを用いて取得した画像データによって組写真を生成する際の作用を説明する図であって、図４の後、組写真生成モード時の組写真構成を一時キャンセルした様子を示す図
【図６】図１のカメラのカメラ制御処理シーケンスを示すフローチャート
【図７】図１のカメラを用いて取得した画像データによって、組写真生成モード時の組写真構成を設定している様子を示す図
【図８】図７の状態からカメラを縦位置姿勢に姿勢変化させた後の様子を示す図
【図９】本発明の一実施形態の撮影機器のカメラ制御処理シーケンスの変形例を示すフローチャート
【図１０】図９のシーケンス中における画像縮小＆位置決定処理の処理シーケンス（図９のステップＳ１２５）を示すフローチャート
【発明を実施するための形態】
【００１１】
以下、図示の実施の形態によって本発明を説明する。
【００１２】
本発明の実施形態は、例えば光学レンズにより形成される光学像を固体撮像素子を用いて光電変換し、これによって得られる画像信号を静止画像や動画像を表わすデジタルデータとして記録媒体に記録し、また記録媒体に記録されたデジタル画像データに基いて静止画像や動画像を表示装置に再生表示し得るように構成された撮影機器（以下、単にカメラという）を例示するものである。
【００１３】
なお、以下の説明に用いる各図面においては、各構成要素を図面上で認識可能な程度の大きさとするため、各構成要素毎に縮尺を異ならせて示している場合がある。したがって、本発明は、これらの図面に記載された構成要素の数量，構成要素の形状，構成要素の大きさの比率及び各構成要素の相対的な位置関係は、図示の形態のみに限定されるものではない。
【００１４】
まず、本発明の一実施形態の撮影機器の概略構成について説明する。図１は、本発明の一実施形態の撮影機器の内部構成の主要部を示すブロック構成図である。
【００１５】
本実施形態の撮影機器であるカメラ１は、図１に示すように、カメラボディ１０とレンズ鏡筒２０とによって構成されている。本カメラ１は、カメラボディ１０に対してレンズ鏡筒２０が着脱自在に構成されるいわゆるレンズ交換式カメラである。なお、本実施形態では、レンズ交換式カメラを例に挙げて説明するものであるが、本発明を適用し得るカメラとしては、この形態に限られることはなく、例えばカメラボディ１０とレンズ鏡筒２０とが一体に構成された形態のカメラであっても全く同様に適用することは可能である。
【００１６】
カメラボディ１０は、信号処理制御部１１と、ボディ側通信部１２と、撮像素子１３と、記録部１４と、操作部１５と、一時記録部１６と、加速度センサ１７と、表示部１８と、タッチパネル１８ｂと、時計部１９と、回動判定部３０等を有して構成されている。
【００１７】
信号処理制御部１１は、本カメラ１の全体の動作を統括的に制御する制御部としての機能を備え、各種構成ユニットの制御信号を処理すると共に、撮像素子１３によって取得した画像信号（画像データ）に対する各種の信号処理等を行う信号処理部としての機能を備えた回路部である。
【００１８】
この信号処理制御部１１の内部には、画像処理部１１ｂと、タッチ判定部１１ｃと、画像合成部１１ｄと、表示制御部１１ｅ等の各種の回路部が具備されている。
【００１９】
このうち、画像処理部１１ｂは、撮像素子１３によって取得された画像データに基いて各種の画像処理を施す回路部である。
【００２０】
タッチ判定部１１ｃは、選択指定部であるタッチパネル１８ｂからの指示入力信号を受けて、その指示内容を判定する信号処理回路である。タッチ判定部１１ｃによる判定結果は、信号処理制御部１１において各種の制御が実行される。
【００２１】
画像合成部１１ｄは、撮像素子１３によって取得された複数の画像データに基く画像を一画面で表示させるといった異なる形態の画像を再生成する画像合成処理等を行なう回路部である。
【００２２】
表示制御部１１ｅは、表示部１８を駆動制御する制御回路部である。表示制御部１１ｅは、撮像素子１３及びレンズ２６（後述する）からなる撮像部によって生成され取得された画像データを受けて、これを表示部１８の表示パネルに画像として表示させるための制御を行う。
【００２３】
上記撮像部は、被写体からの光を透過させて被写体の光学像を結像させる撮影光学系であるレンズ２６（後述する）と、このレンズ２６によって結像された被写体像を受けて光電変換処理を行う撮像素子１３とを含んで構成されるユニットである。
【００２４】
撮像素子１３は、例えばＣＣＤ（Ｃｈａｒｇｅ  Ｃｏｕｐｌｅｄ  Ｄｅｖｉｃｅ；電荷結合素子）等の回路素子を用いたＣＣＤイメージセンサー若しくはＭＯＳ（Ｍｅｔａｌ  Ｏｘｉｄｅ  Ｓｅｍｉｃｏｎｄｕｃｔｏｒ；金属酸化膜半導体）等を用いたＭＯＳ型イメージセンサー等の固体撮像素子である光電変換素子等が適用される。撮像素子１３によって生成されたアナログ画像信号は、信号処理制御部１１へと出力されて、この信号処理制御部１１において各種の画像信号処理が実行される。
【００２５】
記録部１４は、撮像素子１３から出力された画像信号を所定の形態に変換する回路部と、この回路部によって生成された画像データを記録する記録媒体と、この記録媒体を駆動制御する制御部等を含んで構成される構成部である。ここで行われる画像信号の変換処理としては、例えば信号圧縮処理等を行って記録形態の画像データ変換する処理や、記録媒体に記録済みの画像データを読み込んで伸長処理等を施して画像信号を復元させる信号処理等である。なお、この種の圧縮伸長処理については、記録部１４に限らず、例えば信号処理制御部１１によって実行するような形態でもよい。
【００２６】
操作部１５は、カメラ１のカメラボディ１０の外装部分に設けられる通常の押しボタン式若しくはスライド式，ダイヤル式等の形態の各種の操作部材であって、例えばシャッターリリースボタン１５ａ（図２等参照）等、各種の一般的な操作部材を一括していう操作用の構成部である。また、これとは別に、操作部１５には、例えばタッチパネル１８ｂ等を含むものとする。なお、タッチパネル１８ｂは、表示部１８の表示面上に配置されており、使用者が表示パネルの表示画面に対応する所定領域に対するタッチ操作やスライド操作等を行うことによって、各種の操作指示信号が発生するように構成された操作部材である。このタッチパネル１８ｂからの指示入力信号は、信号処理制御部１１のタッチ判定部１１ｃに送られて、その操作入力が判定される。
【００２７】
表示部１８は、撮像素子１３から出力された画像信号（画像データ）等若しくは記録部１４により伸長処理された画像信号（画像データ）等に基いて、上記表示制御部１１ｅの制御下において画像表示を行う構成部である。
【００２８】
時計部１９は、いわゆるリアルタイムクロック（Real-Time Clock；ＲＴＣ）と言われるコンピュータの内部時計である。時計部１９は、例えばデータファイル等の日時情報の付与を行ったり、制御処理中における計時や時間制御等の際に利用される。
【００２９】
一時記録部１６は、撮像素子１３によって取得された画像データ等を一時的に記録しておく回路部であって、例えばＥＥＰＲＯＭ（Electrically Erasable Programmable Read-Only Memory），ＲＡＭ（Random Access Memory）等の半導体メモリ素子等が適用される。
【００３０】
加速度センサ１７は、カメラ１の傾き状態や縦位置，横位置等の姿勢を判定する検出回路部である。
【００３１】
ボディ側通信部１２は、後述するレンズ側通信部２２との間で電気的に接続することによって、カメラボディ１０とレンズ鏡筒２０との間で制御信号，情報信号等をやり取りするカメラボディ１０側の通信用回路部である。
【００３２】
回動判定部３０は、上記加速度センサ１７等によって検出されるカメラ１の姿勢情報に基いて、画像の上下関係を適正に表示すべく、表示画像の回転処理をおこなうための判定回路部である。
【００３３】
レンズ鏡筒２０は、レンズ制御部２１と、レンズ側通信部２２と、レンズ側操作部２３と、ズーム駆動部２４ａと、フォーカス駆動部２４ｂと、ズームレンズ位置検出部２５ａと、フォーカスレンズ位置検出部２５ｂと、撮影光学系であるレンズ２６と、レンズ側記録部２７等によって主に構成されている。
【００３４】
レンズ制御部２１は、上記カメラボディ１０側の信号処理制御部１１の制御下においてレンズ鏡筒２０側の各構成ユニットの動作を制御する制御部である。
【００３５】
操作部２３は、レンズ側の切り換え操作、例えば通常撮影モードと近接撮影モードとの切り換えや、自動焦点調節動作（オートフォーカス（ＡＦ）動作）と手動焦点調節動作（マニュアルフォーカス（ＭＦ）動作）等の操作や、焦点調節操作を行なうピントリング，ズーム操作を行なうズームリング等の操作部材を含む総体をいう。
【００３６】
ズーム駆動部２４ａは、上記レンズ２６のうちズーム動作に関与するズーム光学系の駆動を行う駆動ユニットである。また、フォーカス駆動部２４ｂは、上記レンズ２６のうちフォーカス動作に関与するフォーカス光学系の駆動を行う駆動ユニットである。
【００３７】
ズームレンズ位置検出部２５ａは、ズーム光学系の光軸上の位置を検出する位置検出回路である。また、フォーカスレンズ位置検出部２５ｂは、フォーカス光学系の光軸上の位置を検出する位置検出回路である。
【００３８】
レンズ側記録部２７は、本レンズ鏡筒２０に関する各種の情報等を予め記憶させた記憶媒体を含む回路部である。この記録部２７に記録されている各種情報は、レンズ制御部２１から各通信部２２，１２を介してカメラボディ１０側へと伝達されて、適宜必要に応じて利用されるものである。このレンズ側記録部２７としては、例えばＥＥＰＲＯＭ，ＲＯＭ（Read Only Memory），フラッシュメモリ等の不揮発性半導体メモリ素子等が適用される。
【００３９】
レンズ２６の内部には、複数の光学レンズ等によって構成され被写体の光学像を結像させる撮影光学系や、この撮影光学系の個々の光学レンズをそれぞれ保持する複数の鏡筒部材や、これら複数の鏡筒部材をそれぞれ個別に光軸方向に進退させる駆動用鏡筒等のほか、撮影光学系のうちの一部であるズーム光学系を制御するズーム制御部２６ａと、撮影光学系のうちの一部であるフォーカス光学系を制御するピント制御部２６ｂと、撮影光学系を透過する光束の光量を調整する絞り機構と、この絞り機構を駆動制御する絞り制御部２６ｃ等が具備されている。なお、上述したように、上記レンズ２６とカメラボディ１０の撮像素子１３とによって撮像部が構成される。
【００４０】
レンズ側通信部２２は、上記ボディ側通信部１２との間で電気的に接続することによって、レンズ鏡筒２０とカメラボディ１０との間で制御信号，情報信号等をやり取りするレンズ鏡筒２０側の通信用回路部である。
【００４１】
なお、カメラボディ１０，レンズ鏡筒２０は、上述した構成部以外にもその他の各種構成ユニット等を有して構成されているものであるが、それらの各種構成ユニット等は、本発明に直接関連しない構成であるので、従来の一般的なカメラと同様の構成を具備するものとして、その詳細説明及び図示を省略している。
【００４２】
例えば、撮影光学系の光路を開閉し、撮影動作の際に撮影光学系を透過する光束の光量を調整するためのシャッター機構については図示及び説明を省略しているが、本実施形態のカメラ１においても、従来のカメラと同様の通常のシャッター機構を有している。このシャッター機構は、カメラボディ１０側に配設するフォーカルプレーンシャッターでもよいし、レンズ鏡筒２０側に配設するレンズシャッターでもよい。シャッター機構がカメラボディ１０側に配設されている場合には、シャッター機構は主にボディー側の制御部によって制御される。また、シャッター機構がレンズ鏡筒２０側に配設されている場合には、シャッター機構は主にボディー側の制御部の制御下においてレンズ制御部２１を介して制御される。
【００４３】
このように構成された本実施形態のカメラ１を用いて撮影を行って取得した画像データを用いて組写真を生成する際の手順を、以下に説明する。図２〜図５は、本実施形態のカメラ１を用いて取得した画像データによって組写真を生成する際の作用を説明する図である。
【００４４】
なお、本発明において、組写真とは、関連性のある複数の撮影画像データ，ストーリー性を備えた複数の撮影画像データ若しくは撮影者（使用者）の意図により組み合わされた複数の撮影画像データに基いて生成された一つの画像（写真）をいうものとする。
【００４５】
図２は、本実施形態のカメラ１を用いて撮影動作を行なった直後の様子を示し、直前に行なった撮影動作によって取得された画像を表示部１８に再生表示するいわゆるプレビュー画像が表示されている状態を示している。このとき、表示部１８のプレビュー画像上の所定の領域には、組写真の生成指示を入力するためのアイコン表示３１（図２においては「組写真継続」と示すアイコン）が重畳表示されている。プレビュー画像表示は、直前の撮影動作によって取得された画像データであって、一時記録部１６に保持されている画像データに基いて行われる。プレビュー画像表示は、撮影動作の直後から、例えば３秒あるいは５秒等の設定された所定の時間が経過すると終了して表示部１８の表示はライブビュー画像に切り換わる。
【００４６】
図２に示すような表示が行なわれている時、使用者は、図２に示すように、例えば手指１０１等を用いてタッチパネル１８ｂ上のアイコン３１に相当する位置をタッチ操作すると、本実施形態のカメラ１においては、組写真生成モードに切り換わる。ここで、使用者は、図３に示すようなスライド操作を行なう。
【００４７】
図３は、本実施形態のカメラ１を用いて組写真生成モード時の組写真構成を設定している様子を示す図であって、図２の表示状態の次の手順を示している。即ち、上述したように図２に示す状態にあるときに、表示部１８上のタッチパネル１８ｂに対してスライド操作を行なう。例えば、図３に示す手指１０１を矢印Ｘ１方向にスライド操作したとする。すると、そのスライド操作を受けて、表示部１８の表示画面は図３に示すように変化する。つまり、図２において表示部１８の表示画面全体に表示されていたプレビュー画像（図３において符号５１で示す範囲参照）が、図３に示すように上記スライド操作に従って矢印Ｘ１方向にスライド移動するものとする。このとき、図３の符号５１ｃで示す領域は、表示部１８の表示画面からはみ出した部分であり実際には表示が消えた領域である。したがって、上記のスライド操作が行なわれると、表示部１８の表示画面上には、上記プレビュー画像５１のうち符号５１ａ，５１ｂで示す領域が表示される。そして、上記プレビュー画像５１がスライド移動することによって、新たに表れる領域５０には、その現時点におけるライブビュー画像の一部が表れるようになっている。続いて、使用者は、図３のプレビュー画像５１の一方の端縁５１ｄを含む領域を図４に示すようにタッチ操作し、図４の矢印Ｘ２方向にスライド操作したとする。すると、プレビュー画像５１のうちの符号５１ｂで示す余白部領域のみが、そのスライド操作に伴って徐々に消滅し、図４に示すような表示とすることができる。
【００４８】
図４は、本実施形態のカメラ１を用いて組写真生成モード時の組写真構成を設定している様子を示す図であって、図３の表示状態の次の手順を示している。図４に示す状態では、上記プレビュー画像５１のうち主要被写体を含む領域５１ａの表示を表示部１８に残したまま、その表示以外の領域にライブビュー表示（５０）のうちの一部領域５０ａが表示されている状態となっている。したがって、使用者は、表示部１８の領域５０ａのライブビュー画像によって次の撮影を行うことにより、前回の撮影画像データの一部と今回撮影する画像データの一部とを組み合わせて構成した組写真を生成することが容易にできるようになっている。
【００４９】
また、図３に示す状態における矢印Ｘ１方向へのスライド操作、若しくは図４に示す状態における矢印Ｘ２方向へのスライド操作を継続して行なって、プレビュー画像５１を画面外へと矢印Ｘ３方向へフリック操作した場合には、図５に示すような状態になる。図５は、本実施形態のカメラ１を用いて組写真生成モード時の組写真構成を一時キャンセルした様子を示す図であって、図３若しくは図４の表示状態の次の手順を示している。即ち、図５においては、表示部１８の表示領域全体にライブビュー画像表示５０が表示されており、そのライブビュー画像上の所定の領域に、組写真用の画像データが一時的に記録されている旨を示すアイコン表示３２が重畳表示されている。この状態においては、カメラ１は通常の撮影を行なうことができる状態にある。そして、この状態において、例えばアイコン３２のタッチ操作を行なったり、若しくは例えば表示部１８の一方の端縁部１８ｃをタッチして図５の矢印Ｘ４方向へとスライド操作を行なったりすることによって、一時記録されている前回のプレビュー画像データが呼び出され、組写真生成モードでの動作を再開することができるようにしている。
【００５０】
次に、本実施形態のカメラ１のカメラ制御処理シーケンスを図６のフローチャートを用いて以下に説明する。
【００５１】
まず、カメラ１の電源がオン状態とされて使用可能な起動状態にあるものとする。この状態において、図６の処理シーケンスは開始する。
【００５２】
ステップＳ１０１において、信号処理制御部１１は、現在設定されているカメラの動作モードが撮影動作モードに設定されているか否かの確認を行なう。ここで、撮影動作モードに設定されていることが確認された場合には、次のステップＳ１０２の処理に進む。また、撮影動作モード以外に設定されている場合には、ステップＳ１４１の処理に進む。
【００５３】
ステップＳ１０２において、信号処理制御部１１は、ボディ側通信部１２からの信号を監視してレンズ交換操作が行なわれたか否かの確認を行なう。ここで、レンズ交換操作が確認された場合には、ステップＳ１０３の処理に進む。また、レンズ交換操作が確認されない場合には、ステップＳ１０４の処理に進む。
【００５４】
レンズ交換操作が確認された場合には、ステップＳ１０３において、信号処理制御部１１は、通信部２２，通信部１２を介して新たに装着されたレンズ鏡筒２０のレンズ制御部２１との間で通信を行ない、レンズ鏡筒２０の固有情報等を取得し、例えば一時記録部１６等に一時記録する。その後、ステップＳ１０４の処理に進む。
【００５５】
ステップＳ１０４において、信号処理制御部１１は、撮像素子１３を制御して画像データを取得し、その画像データに基く画像を表示部１８を制御してライブビュー画像の表示制御処理を実行する。このとき同時にレンズ鏡筒２０を制御してフォーカス制御等も合わせて行なう。その後、ステップＳ１０５の処理に進む。
【００５６】
ステップＳ１０５において、信号処理制御部１１は、一時記録部１６に一時的に記録された画像データ（仮記録データという）が存在し、この仮記録データに基く画像が表示部１８に表示されている状態であるか否かの確認を行なう。本実施形態のカメラの場合において、仮記録データは、組写真生成用の画像データとして、一時記録部１６に一時的に記録された画像データを指すものとする。つまり、本カメラ１においては、その使用中の当該処理ステップ以前の段階で、既に組写真生成用の操作が行なわれており、一時記録部１６に画像データが一時的に記録されている状態であって、かつ組写真生成用の操作が中断されている状況がある。一方、この処理ステップ以前の段階で、組写真生成用の操作がなされていない場合には、一時記録部１６には画像データが存在しない。このような各種の状況に関する確認を、上記ステップＳ１０５の処理で行なう。即ち、仮記録データに基く画像表示が行なわれている場合には、ステップＳ１１２の処理に進む。また、仮記録データに基く画像表示が行なわれていない場合には、ステップＳ１３１の処理に進む。
【００５７】
上述のステップＳ１０５の処理にて、仮記録データに基く画像表示が行なわれていない場合にステップＳ１３１の処理に進むと、このステップＳ１３１において、信号処理制御部１１は、操作部１５のうち例えばシャッターリリースボタン１５ａ等からの出力信号を監視して、使用者による撮影操作が行なわれたか否かの確認を行なう。ここで、撮影操作が確認された場合には、ステップＳ１３２の処理に進む。また、撮影操作が確認されない場合には、ステップＳ１３３の処理に進む。
【００５８】
ステップＳ１３２において、信号処理制御部１１は、撮像素子１３，表示部１８，記録部１４及びレンズ鏡筒２０等を制御して通常の撮影動作を実行する。この撮影処理にて取得した画像データは記録部１４に記録される。その後、ステップＳ１３３の処理に進む。
【００５９】
ステップＳ１３３において、信号処理制御部１１は、上述のステップＳ１３２の撮影処理にて取得した画像データを一時記録部１６に一時記録（仮記録）する（画面記録処理）と共に、その画像データに基く画像を表示部１８を制御して表示する表示処理を実行する。このように、撮影操作の直後には、その撮影操作によって取得された画像データに基く画像を表示部１８に所定時間表示する。この表示制御の作用は、いわゆるレックビュー表示と言われるものであり、従来のカメラ（撮影機器）においては一般に行われる作用である。なお、本実施形態のカメラ１においては、ここで行われるレックビュー表示処理において、図２に示すような形態のアイコン表示３１（「組写真継続」アイコン）を仮記録画像に重畳表示する。その後、ステップＳ１３４の処理に進む。
【００６０】
ステップＳ１３４において、信号処理制御部１１は、タッチパネル１８ｂからの操作入力をタッチ判定部１１ｃを介して監視して、アイコン表示３１に相当する領域のタッチ操作若しくは画面内のタッチ操作がなされたか否かの確認を行なう。ここで、所定のタッチ操作が確認された場合には、ステップＳ１３５の処理に進む。また、所定のタッチ操作が確認されない場合には、ステップＳ１３９の処理に進む。
【００６１】
ステップＳ１３９において、信号処理制御部１１は、時計部１９を参照して所定の時間が経過したか否かを確認する。ここで、所定時間が経過するまで、上述のステップＳ１３４による処理を繰り返す。そして、所定時間の経過が確認されると、組写真生成に関する操作がなされなかったものとして、上述のステップＳ１０１の処理に戻る。
【００６２】
上述のステップＳ１３４の処理にて、組写真生成に関する所定のタッチ操作が確認されて、ステップＳ１３５の処理に進む。ここで、使用者は、上述の所定のタッチ操作（図２参照）に続けて、図３に示すようなスライド操作を行なうことになる。
【００６３】
ステップＳ１３５において、信号処理制御部１１は、タッチパネル１８ｂからのスライド操作の指示信号を確認すると、仮記録画像の縮小処理を実行する。この仮記録画像縮小処理とは、上記図３を用いて説明した作用にかかる処理である。
【００６４】
続いて、ステップＳ１３６において、信号処理制御部１１は、上述のスライド操作が終了したか否かを確認する。ここで、スライド操作の終了を確認した場合には、ステップＳ１３７の処理に進む。また、スライド操作の終了を確認しない場合には、ステップＳ１３９の処理に進む。
【００６５】
次に、ステップＳ１３７において、信号処理制御部１１は、上述のスライド操作によって設定された縮小画像の大きさに関する情報（データ）を一時記録部１６に記録する処理を実行する。その後、ステップＳ１３８の処理に進む。
【００６６】
ステップＳ１３８において、信号処理制御部１１は、上述のスライド操作によって設定された縮小画像の位置に関する情報（データ）を一時記録部１６に記録する処理を実行する。その後、ステップＳ１３９の処理に進む。このようにして仮記録画像に関するデータが一時記録部１６に一時記録される。
【００６７】
一方、上述のステップＳ１０５の処理にて、仮記録データに基く画像表示が行なわれている状態にある場合にステップＳ１１２の処理に進むと、このステップＳ１１２において、信号処理制御部１１は、加速度センサ１７からの信号を監視して、カメラ１の姿勢を確認し、縦位置姿勢にあるのか横位置姿勢にあるのかの判定を行なう。同時に、カメラ１の姿勢に合わせて縮小画像の表示設定を変更する。即ち、カメラ１の姿勢変化に応じて縮小画像を回動させて表示の適正化を図る。
【００６８】
このときの、縮小画像の大きさと位置等は、一時記録部１６に記録されている縮小画像に関する情報（データ）を参照して設定される。そのために、図６のステップＳ１１３において、信号処理制御部１１は、縮小画像をその大きさ及び位置情報に基いて、ライブビュー画像に重畳させて表示する合成表示処理を実行する。その後、ステップＳ１１４の処理に進む。
【００６９】
ここで、例えばカメラ１の姿勢が横位置姿勢にある場合の例を図７に示す。図７は図４と同様に、本実施形態のカメラ１を用いて組写真生成モード時の組写真構成を設定している様子を示す図である。図７に示す状態では、カメラ１の姿勢を横位置姿勢にある状態で、上記プレビュー画像５１に対して使用者が手指１０１によって矢印Ｘ４方向へのスライド操作を行なうことで上記プレビュー画像５１の縮小操作を行なっている。このスライド操作によって、上記プレビュー画像５１は図７の符号５１ｅで示すように縮小表示される。このとき、表示部１８の表示は、縮小画像５１ｅの表示以外の領域にライブビュー表示５０が表示されている。
【００７０】
カメラ１の表示部１８における表示が、図７に示す状態にあるとき、例えばカメラ１の姿勢を図８に示すような縦位置姿勢に変更したとする。すると、カメラ１の姿勢変化に応じて表示部１８の表示は、図８に示すように、ライブビュー画像５０が縦位置表示に切り換わると共に、上述の図６のステップＳ１１２の処理で述べたように、縮小画像５１ｅは図７の状態から角度９０度回動して図８に示す表示状態に変化する。この場合において、縮小画像５１ｅの表示位置は関連情報のうちの位置情報に基いて設定される。
【００７１】
即ち、ここで示す例では、カメラ１が図７の横位置姿勢にあるときの縮小画像５１ｅが表示部１８の表示画面中において左下隅近傍に表示される設定とした場合を示している。この状態で、図７の横位置姿勢から図８の縦位置姿勢とする。この場合において、縦位置姿勢に変更する形態としては、シャッターリリースボタン１５ａを下側とする縦位置姿勢と、シャッターリリースボタン１５ａを上側とする縦位置姿勢とが考えられる。図８に示す例は、シャッターリリースボタン１５ａを下側とする縦位置姿勢に変更した場合を示している。このとき、本表示例では、縮小画像５１ｅは、図８に示すように、図７の状態から反時計方向に角度９０度回動し、かつ縦位置にした表示部１８の表示画面の左下隅近傍位置に表示されるように設定している。図示は省略するが、この例とは別に、図７の横位置姿勢から、例えばシャッターリリースボタン１５ａを上側とする縦位置姿勢とした場合でも、縮小画像５１ｅを図８の例示と同様に表示部１８の表示画面の左下隅近傍に表示されるように設定される。なお、この場合には、縮小画像５１ｅは図７の状態から時計方向に角度９０度回動することになる。
【００７２】
つまり、カメラ１の姿勢を変更すると、縮小画像５１ｅの表示位置は関連情報のうちの位置情報に基いて設定され、縮小画像５１ｅの大きさも対応する情報に基いて設定される。そして、カメラ１の姿勢変化に応じて縮小画像５１ｅは所定の角度だけ所定の方向に回動表示されることによって、縮小画像５１ｅそれ自体の上下方向は常に適正な表示状態が維持されるようにしている。
【００７３】
図６に戻って、ステップＳ１１４において、信号処理制御部１１は、タッチパネル１８ｂからの操作入力をタッチ判定部１１ｃを介して監視して、画面外へのフリック操作がなされたか否かの確認を行なう。ここで、画面外へのフリック操作が確認された場合には、ステップＳ１１５の処理に進む。また、画面外へのフリック操作が確認されない場合には、ステップＳ１３１の処理に進む。
【００７４】
上述のステップＳ１１４の処理にて画面外へのフリック操作が確認されて、ステップＳ１１５の処理に進むと、このステップＳ１１５において、信号処理制御部１１は、表示制御部１１ｅを介して表示部１８等を制御して、表示中の縮小画像５１ｅ（図７，図８参照）の表示を消去して、撮像素子１３，表示部１８及びレンズ鏡筒２０等を制御して画面全体にライブビュー表示５０を表示させると共に、図５に示すようなアイコン３２を表示させる（縮小画像のアイコン化）。同時に、当該ステップＳ１１５の処理の直前まで表示されていた縮小画像データ及びこれに関する情報（データ）を一時記録部１６に仮記録する。その後、ステップＳ１１６の処理に進む。
【００７５】
続いて、ステップＳ１１６において、信号処理制御部１１は、タッチパネル１８ｂからの操作入力をタッチ判定部１１ｃを介して監視して、上記アイコン３２へのタッチ操作がなされたか否かの確認を行なう。ここで、アイコン３２のタッチ操作が確認された場合には、上記ステップＳ１１２の処理に戻る。また、アイコン３２のタッチ操作が確認されない場合には、上記ステップＳ１３１の処理に戻る。
【００７６】
他方、上述のステップＳ１０１の処理にて、撮影動作モード以外に設定されていることが確認されてステップＳ１４１の処理に進むと、このステップＳ１４１において、信号処理制御部１１は、カメラ１の動作モードが再生モードに設定されているか否かの確認を行なう。ここで、再生モードに設定されていることが確認された場合には、次のステップＳ１４２の処理に進む。また、再生モード以外に設定されている場合には、ステップＳ１４５の処理に進む。
【００７７】
ステップＳ１４２において、信号処理制御部１１は、記録部１４，表示部１８等を制御して画像再生処理を実行する。この画像再生処理は、従来一般の撮影機器であるカメラ等において適用されている一般的な処理である。画像再生処理については、本発明に直接関連しない部分であるので詳細説明は省略する。その後、ステップＳ１４３の処理に進む。
【００７８】
次に、ステップＳ１４３において、信号処理制御部１１は、操作部１５からの指示信号を監視して表示中の画像の変更を指示する再生画像変更指示信号の確認を行なう。ここで、再生画像変更指示信号が確認された場合には、次のステップＳ１４４の処理に進み、このステップＳ１４４の処理にて信号処理制御部１１は、記録部１４，表示部１８等を制御して再生画像の変更処理を実行する。その後、上述のステップＳ１０１の処理に戻る。
【００７９】
一方、上記ステップＳ１４３の処理にて、再生画像変更指示信号が所定時間、確認されない場合には、所定時間経過後、上述のステップＳ１０１の処理に戻る。
【００８０】
上述のステップＳ１４４の処理にて、再生モード以外に設定されていることが確認されてステップＳ１４５の処理に進むと、このステップＳ１４５において、信号処理制御部１１は、カメラ１の動作モードが、例えば画像通信モードに設定されているものと判断し、通信画像ファイルの取得処理を実行する。その後、ステップＳ１０１の処理に戻る。
【００８１】
なお、上記ステップＳ１４５の処理においては、撮影動作モード，再生モード以外の動作モードとして画像通信モードを例に挙げて説明したが、これに限られることはない。例えば、カメラ１における各種の設定を行なうためのメニューモード等としてもよい。しかしながら、撮影動作モード以外のそのような動作モードについては、本発明に直接関連しない部分であるので、その詳細説明を省略する。
【００８２】
以上説明したように上記一実施形態によれば、通常の写真撮影を継続しながら画像データを取得した際に、そのレックビュー表示に重畳させて組写真生成のための動作モードを起動させ得るアイコン表示を行なうようにしたので、所望の画像データを取得した時にはそのアイコン表示に対するタッチ操作等を行なうのみで、単にレックビュー表示の動作状態からシームレスに組写真生成のための動作モードへと切り換えることができる。
【００８３】
上述のようにして、撮影動作モードの継続中に組写真生成モードに切り換えた時には、表示部１８に対応したタッチパネル１８ｂに対する直感的なタッチ＆スライド操作を行うのみで、組写真生成のための画像縮小等の処理を施すことができる。使用者は、撮影操作を実行する都度、取得した複数の画像データを好みに応じて表示画面上に分割配置する等の操作を楽しみながら行なうことができ、それによって一枚の組写真を容易に生成することができる。
【００８４】
また、通常の撮影操作を進めながら所望の画像データが取得できたときには、その都度、組写真生成操作を行ない得る動作モードにシームレスに移行し得るように構成したので、使用者は動作モードの切り換えを意識することなく、煩雑な操作に煩わされることもないので、操作性の向上に寄与することができる。一方、組写真生成操作を行なっているときに、取得した画像データが意にそぐわないといった理由で、その画像データを不採用として、新たな画像データを取得したいような要求が生じた場合、若しくは生成中の組写真とは別に撮影を行ないたい場合にも、操作中の組写真生成動作は、フリック操作のみで容易にキャンセルし、すぐに次の撮影動作を容易に行ない得るようにしているので、動作モードを意識することなく、撮影動作を続行することができる。さらに、そのような場合にも、次の撮影動作の後に表示されるレックビュー表示には、組写真生成のための動作モードを起動させ得るアイコン表示が行なわれるので、組写真生成操作モードにシームレスに戻ることが容易にできる。
【００８５】
次に、本実施形態の撮影機器のカメラ制御処理の変形例を、図９，図１０を用いて以下に説明する。図９は、本変形例のカメラ制御処理シーケンスを示すフローチャートである。図１０は、図９のシーケンス中における画像縮小＆位置決定処理の処理シーケンス（図９のステップＳ１２５）を示すフローチャートである。
【００８６】
なお、本変形例の撮影機器の基本的な構成は、上述の一実施形態と全く同様のものが適用されるものとする。したがって、以下の説明では、上述の一実施形態で説明した図１のブロック構成図を参照し、以下の説明においても、各構成部材は同じ符号を用いて説明する。
【００８７】
また、本変形例の撮影機器のカメラ制御処理シーケンスにおいても、一部の処理ステップは、上述の一実施形態と略同様である。したがって、同じ処理ステップについては同じステップ番号を附してその説明は省略し、異なる処理ステップについてのみ以下に詳述する。
【００８８】
まず、カメラ１の電源がオン状態とされて使用可能な起動状態にあるとき、図９の処理シーケンスは開始する。図９において、ステップＳ１０１の処理は、撮影動作モードの確認ステップである（図６と同様）。
【００８９】
ここで、撮影動作モードに設定されていることが確認された場合には、次のステップＳ２０２の処理に進む。また、撮影動作モード以外に設定されている場合には、ステップＳ１４１の処理に進む。
【００９０】
なお、ここで撮影動作モード以外に設定されていることが確認されてステップＳ１４１の処理に進むと、このステップＳ１４１の処理以降、ステップＳ１４２，Ｓ１４３，Ｓ１４４，Ｓ１４５の各処理ステップは上述の一実施形態と同様である（図６参照）。
【００９１】
一方、上記ステップＳ１０１の処理にて、撮影動作モードに設定されていることが確認されてステップＳ２０２の処理に進むと、このステップＳ２０２において、信号処理制御部１１は、タッチパネル１８ｂの出力信号をタッチ判定部１１ｃを介して監視し、図２に示したような「組写真継続」等と示すアイコン表示３１へのタッチ入力があったか否かを確認する。この場合において、起動直後の状態では表示部１８にはまだ何も表示されていない状態であり、当然のことながらアイコン表示３１も表示されていない。したがって、アイコン表示３１へのタッチ入力もない。また、起動してある程度の撮影動作の継続中においては、表示部１８には撮影画像が表示された状態にあり、かつアイコン表示３１が重畳表示されている状態にある。ここで、アイコン表示３１へのタッチ入力が確認された場合には、ステップＳ２１１の処理に進む。また、アイコン表示３１へのタッチ入力が確認されない場合（例えば起動直後の状態等）には、ステップＳ２０３の処理に進む。
【００９２】
ステップＳ２０３において、信号処理制御部１１は、撮像素子１３を制御して画像データを取得し、その画像データに基く画像を表示部１８を制御してライブビュー画像の表示制御処理を実行する。このとき同時にレンズ鏡筒２０を制御してフォーカス制御等も合わせて行なう。その後、ステップＳ２０４の処理に進む。
【００９３】
ステップＳ２０４において、信号処理制御部１１は、操作部１５のうち例えばシャッターリリースボタン１５ａ等からの出力信号を監視して、使用者による撮影操作が行なわれたか否かの確認を行なう。ここで、撮影操作が確認された場合には、信号処理制御部１１は、撮像素子１３，表示部１８，記録部１４及びレンズ鏡筒２０等を制御して通常の撮影動作を実行する。この撮影処理にて取得した画像データは記録部１４に記録される。その後、ステップＳ２０５の処理に進む。また、撮影操作が確認されない場合には、ステップＳ１０１の処理に戻る。
【００９４】
ステップＳ２０５において、信号処理制御部１１は、表示制御部１１ｅを介して表示部１８等を制御して、上述の撮影動作によって取得された画像データに基く画像を表示するいわゆるレックビュー表示を実行する。これと同時に、信号処理制御部１１は、表示制御部１１ｅを介して表示部１８等を制御して、表示画面内の所定の位置に「中断」ボタン（アイコン）及び「ＯＫ」ボタン（アイコン）をレックビュー表示に重畳させて表示させる。ここで、「中断」ボタン及び「ＯＫ」ボタンは、現在表示部１８にレックビュー表示として表示中の画像を、生成しようとしている組写真の一部として採用するか否かを指示するためのアイコン表示である。
【００９５】
続いて、ステップＳ２０６において、信号処理制御部１１は、タッチパネル１８ｂからの操作入力をタッチ判定部１１ｃを介して監視して、上記「中断」若しくは「ＯＫ」を表わすアイコン表示に対するタッチ操作、または表示中のレックビュー画像に対するタッチ操作等が行なわれたか否かの確認を行なう。ここで、上記「中断」若しくは「ＯＫ」アイコンへのタッチ操作が確認された場合には、ステップＳ２２１の処理に進む。また、レックビュー画像に対するタッチ操作等が行なわれた場合には、ステップＳ２０７の処理に進む。
【００９６】
ステップＳ２０７において、信号処理制御部１１は、タッチ操作に応じた画像縮小処理及び位置決定処理を実行する。この画像縮小処理及び位置決定処理の詳細シーケンスを図１０に示す。
【００９７】
ここで、図１０の画像縮小処理及び位置決定処理の処理シーケンスの詳細を以下に説明する。
【００９８】
まず、この処理シーケンスに入る前の状態は、表示部１８にレックビュー画像が表示されている状態である（図９のステップＳ２０５で説明した状態）。
【００９９】
ここで、図１０のステップＳ３０１において、信号処理制御部１１は、表示制御部１１ｅを介して表示部１８を制御して、表示部１８の表示画面上にターゲット枠の表示、例えば矩形状の枠表示を行なう。このターゲット枠は、最初の状態においては、表示部１８の全表示領域を含む範囲の枠サイズに設定されている。そして、このターゲット枠内には、レックビュー画像、即ち直前の撮影動作によって取得され一時記録された画像データに基く画像が表示されている。
【０１００】
この状態において、使用者は、表示されたターゲット枠の四辺のうちのいずれかの一辺近傍若しくは四隅のうちの所望の一隅近傍をタッチ＆スライド操作を行うことで、当該ターゲット枠のサイズを変形（縮小）させることができる。また、枠の中央部近傍に対してタッチ＆スライド操作を行うことで、当該ターゲット枠内の画像の表示領域を変更することができる。これらの操作を行なうことによって、レックビュー画像（一時記録画像）のサイズ変更（縮小）や枠内画像の状態を変更することができる。
【０１０１】
即ち、ステップＳ３１１において、信号処理制御部１１は、タッチパネル１８ｂからの操作入力をタッチ判定部１１ｃを介して監視して、枠の一辺に対するタッチ＆スライド操作が行なわれたか否かの確認を行なう。ここで、枠の一辺に対するタッチ＆スライド操作が行なわれたことが確認された場合には、ステップＳ３１２の処理に進む。また、行なわれたタッチ＆スライド操作が枠の一辺に対するものではない場合には、ステップＳ３２１の処理に進む。
【０１０２】
ステップＳ３１２において、信号処理制御部１１は、表示制御部１１ｅを介して表示部１８を制御して、上記スライド操作に応じた枠サイズを変化させる。そして、上記タッチ＆スライド操作の後にタッチパネル１８ｂから手指を離すリフト操作が行なわれると、直前の上記タッチ＆スライド操作による結果が一時的に確定する。その後、ステップＳ３０２の処理に進む。
【０１０３】
ステップＳ３０２において、信号処理制御部１１は、タッチパネル１８ｂからの操作入力をタッチ判定部１１ｃを介して監視してダブルタップ操作がなされたか否かの確認を行なう。ここで、ダブルタップ操作とは、連続して二回のタップ操作を行なう操作である。なお、タップ操作とは、タッチ操作（触れる操作）とリフト操作（離す操作）を素早く行なう操作である。この場合におけるダブルタップ操作は、直前のタッチ＆スライド操作を確定する操作である。即ち、ここでダブルタップ操作が確認された場合には、ステップＳ３０３の処理に進む。また、ダブルタップ操作が確認されない場合には、上述のステップＳ２１１の処理に戻り、タッチパネル１８ｂからの操作入力の監視状態となる。
【０１０４】
上述のステップＳ３１１の処理にて、枠の一辺に対するタッチ＆スライド操作が確認されずに、ステップＳ３２１の処理に進むと、このステップＳ３２１において、信号処理制御部１１は、タッチパネル１８ｂからの操作入力をタッチ判定部１１ｃを介して監視して枠の一隅に対するタッチ＆スライド操作が行なわれたか否かの確認を行なう。ここで、枠の一隅に対するタッチ＆スライド操作が確認された場合には、ステップＳ３２２の処理に進む。また、行なわれたタッチ＆スライド操作が枠の一隅に対するものではない場合には、ステップＳ３３１の処理に進む。
【０１０５】
ステップＳ３２２において、信号処理制御部１１は、表示制御部１１ｅを介して表示部１８を制御して、上記スライド操作に応じた枠サイズを変更する。そして、上記タッチ＆スライド操作の後にタッチパネル１８ｂから手指を離すリフト操作が行なわれると、直前の上記タッチ＆スライド操作による結果が一時的に確定する。その後、ステップＳ３０２の処理に進む。
【０１０６】
上述のステップＳ３２１の処理にて、枠の一隅に対するタッチ＆スライド操作が確認されずに、ステップＳ３３１の処理に進むと、このステップＳ３３１において、信号処理制御部１１は、タッチパネル１８ｂからの操作入力をタッチ判定部１１ｃを介して監視して枠の中央部近傍に対するタッチ＆スライド操作が行なわれたか否かの確認を行なう。ここで、枠の中央部近傍に対するタッチ＆スライド操作が確認された場合には、ステップＳ３３２の処理に進む。また、行なわれたタッチ＆スライド操作が枠の中央部近傍に対するものではない場合には、ステップＳ３１１の処理に戻る。
【０１０７】
ステップＳ３３２において、信号処理制御部１１は、表示制御部１１ｅを介して表示部１８を制御して、上記スライド操作に応じた枠内画像の移動を行なう。この操作によって、ターゲット枠内に表示する画像範囲を設定することができる。つまり、ターゲット枠のサイズは、レックビュー画像（一時記録画像）の有する全画像範囲よりも小さいサイズである。このことから、ターゲット枠内で表示し得る画像範囲は、レックビュー画像（一時記録画像）の本来有する全画像範囲のうちから一部を切り出す（トリミングする）ことになるわけである。このステップＳ３３２において行なうタッチ＆スライド操作は、所望の表示範囲を切り出す操作である。そして、上記タッチ＆スライド操作の後にタッチパネル１８ｂから手指を離すリフト操作が行なわれると、直前の上記タッチ＆スライド操作による結果が一時的に確定する。その後、ステップＳ３０２の処理に進む。
【０１０８】
このようにして、使用者は、ターゲット枠表示に対して複数回のタッチ＆スライド操作を行うことによって、枠サイズの変更や枠内画像の設定を行なう。そして、上記ステップＳ３０２の処理におけるダブルタップ操作が確認されると、ターゲット枠のサイズ及び枠内表示が確定する。
【０１０９】
こうして縮小画像のサイズ及び枠内画像が確定すると、次に、ステップＳ３０３において、信号処理制御部１１は、再度タッチパネル１８ｂからの操作入力をタッチ判定部１１ｃを介して監視して枠の中央部近傍に対するタッチ＆スライド操作が行なわれたか否かの確認を行なう。ここで、枠の中央部近傍に対するタッチ＆スライド操作が確認されるまで待機し、同操作が確認されると、ステップＳ３０４の処理に進む。
【０１１０】
ステップＳ３０４において、信号処理制御部１１は、表示制御部１１ｅを介して表示部１８を制御して、上記スライド操作に応じて枠位置を移動させる。つまり、このタッチ＆スライド操作によって、表示部１８の表示画面中におけるターゲット枠（縮小画像）の配置を設定する。そして、リフト操作が行なわれると、表示部１８の表示画面内におけるターゲット枠の位置が決定される。その後、ステップＳ３０５の処理に進む。
【０１１１】
ステップＳ３０５において、信号処理制御部１１は、タッチパネル１８ｂからの操作入力をタッチ判定部１１ｃを介して監視して、画面外へのフリック操作がなされたか否かの確認を行なう。ここで、画面外へのフリック操作が確認された場合には、ステップＳ２０６の処理に進む。また、画面外へのフリック操作が確認されない場合には、図９の元の処理に戻り（リターン）、図９のステップＳ２０８の処理に進む。
【０１１２】
ステップＳ２０６において、信号処理制御部１１は、表示制御部１１ｅを介して表示部１８等を制御して表示中の縮小画像を消去して、撮像素子１３，表示部１８及びレンズ鏡筒２０等を制御して画面全体にライブビュー画像を表示させると共に、例えば上記図５に示すようなアイコン３２を重畳表示させる（縮小画像のアイコン化）。同時に、直前まで表示されていた縮小画像データ及びこれに関する情報（データ）を一時記録部１６に仮記録する。その後、図９のステップＳ２０４の処理に戻る（図９，図１０の符号Ａ参照）。
【０１１３】
図９に戻って、ステップＳ２０８において、信号処理制御部１１は、撮像素子１３，表示部１８及びレンズ鏡筒２０等を制御してライブビュー画像を表示させる。この場合において、ライブビュー画像は画面全体に表示させるか、若しくはライブビュー画像に縮小画像を重畳表示させる。その後、ステップＳ２０４の処理に戻る。
【０１１４】
一方、上述のステップＳ２０６の処理にて、上記「中断」若しくは「ＯＫ」アイコン表示に対するタッチ操作が確認されて、ステップＳ２２１の処理に進むと、このステップＳ２２１において、信号処理制御部１１は、上述のステップＳ２０６の処理におけるタッチ操作が「ＯＫ」ボタン（アイコン）に対するものであるか否か、即ち「ＯＫ」ボタンが押された（タッチ操作された）か否かの確認を行なう。ここで、「ＯＫ」ボタンへのタッチ操作が確認された場合には、ステップＳ２２２の処理に進む。また、確認されたタッチ操作が「ＯＫ」ボタンへのものではない場合には、ステップＳ２２３の処理に進む。
【０１１５】
ステップＳ２２２において、信号処理制御部１１は、撮像素子１３，表示部１８，記録部１４，一時記録部１６等を制御して、表示部１８の表示画面に表示中の画像、即ちライブビュー画像上に縮小画像が所望の位置に所望のサイズで表示された組写真画像に対応する画像データについての記録処理を実行する。その後、ステップＳ１０１の処理に戻る。
【０１１６】
一方、ステップＳ２２３において、信号処理制御部１１は、上述のステップＳ２０６の処理におけるタッチ操作が「中断」ボタン（アイコン）に対するものであるか否か、即ち「中断」ボタンが押された（タッチ操作された）か否かの確認を行なう。ここで、「中断」ボタンへのタッチ操作が確認された場合には、ステップＳ２２４の処理に進む。また、確認されたタッチ操作が「中断」ボタンへのものではない場合には、ステップＳ２１２の処理に戻る。
【０１１７】
ステップＳ２２４において、信号処理制御部１１は、撮像素子１３，表示部１８，一時記録部１６等を制御して、表示部１８の表示画面に表示中の画像、即ちライブビュー画像上に縮小画像が所望の位置に所望のサイズで表示された組写真画像に対応する画像データについての一時記録処理を実行する。その後、ステップＳ１０１の処理に戻る。
【０１１８】
他方、上述したように、上記ステップＳ２０２の処理にてアイコン表示３１へのタッチ入力が確認されるとステップＳ２１１の処理に進む。このステップＳ２１１の処理にて、信号処理制御部１１は、表示部１８の表示画面上に、ライブビュー画像と、このライブビュー画像に対して前回撮影取得済みの一時記録画像の縮小画像（図９のＳ２１１にて続き画像と表記）を所望の位置に所望のサイズ（座標情報等を参照する）で重畳表示させる。この場合において、カメラ１の姿勢に応じた表示がなされる。即ち、信号処理制御部１１は、加速度センサ１７からの信号を監視して、カメラ１の姿勢を確認し、確認されたカメラ１の姿勢変化に応じて縮小画像の表示領域内における位置や上下方向に関する表示の適正化を図る。なお、このステップＳ２１１の処理は、上記図６に示すステップＳ１１２と略同様の処理ステップである。
【０１１９】
続いて、ステップＳ２１２において、信号処理制御部１１は、撮像素子１３，表示部１８等を制御して、表示部１８の表示領域のうち縮小画像を表示する以外の余白部領域にライブビュー画像を表示させる処理を実行する。その後、ステップＳ１１４の処理に進む。
【０１２０】
なお、ステップＳ１１４，Ｓ１１５，Ｓ１１６の各処理ステップは、上述の一実施形態の図６で説明した対応する同じステップ番号の処理と全く同様である。
【０１２１】
以上説明した変形例によっても、上述の一実施形態と同様の効果を得ることが容易にできる。
【０１２２】
上述の一実施形態で説明した各処理シーケンスは、その性質に反しない限り、手順の変更を許容し得る。したがって、上述の処理シーケンスに対して、例えば各処理ステップの実行順序を変更したり、複数の処理ステップを同時に実行させたり、一連の処理シーケンスを実行する毎に、各処理ステップの順序が異なるようにしてもよい。
【０１２３】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。
【産業上の利用可能性】
【０１２４】
本発明は、デジタルカメラ等の撮影機能に特化した形態の電子機器である撮影機器に限られることはなく、撮影機能を備えた他の形態の電子機器、例えば携帯電話，録音機器，電子手帳，パーソナルコンピュータ，ゲーム機器，テレビ，時計，ＧＰＳ（Global Positioning System）を利用したナビゲーション機器等、各種の撮影機能付き電子機器にも広く適用することができる。
【符号の説明】
【０１２５】
１……カメラ，
１０……カメラボディ，１１……信号処理制御部，１１ｂ……画像処理部，１１ｃ……タッチ判定部，１１ｄ……画像合成部，１１ｅ……表示制御部，１２……ボディ側通信部，
１３……撮像素子，１４……記録部，１５……操作部，１５ａ……シャッターリリースボタン，１６……一時記録部，１７……加速度センサ，１８……表示部，１８ｂ……タッチパネル，１９……時計部，
２０……レンズ鏡筒，
２１……レンズ制御部，２２……レンズ側通信部，２３……レンズ側操作部，２４ａ……ズーム駆動部，２４ｂ……フォーカス駆動部，２５ａ……ズームレンズ位置検出部，２５ｂ……フォーカスレンズ位置検出部，２６……レンズ，２６ａ……ズーム制御部，２６ｂ……ピント制御部，２７……レンズ側記録部，３０……回動判定部，
【図１】
2014165609.tif 000003
【図２】
2014165609.tif 000004
【図３】
2014165609.tif 000005
【図４】
2014165609.tif 000006
【図５】
2014165609.tif 000007
【図６】
2014165609.tif 000008
【図７】
2014165609.tif 000009
【図８】
2014165609.tif 000010
【図９】
2014165609.tif 000011
【図１０】
2014165609.tif 000012